(57)【要約】【課題】根革を伸びにくくするとともに、Ｄ環、角環などの金具が上下動や回転しないように固定できる根革補強部材を提供する。【解決手段】本発明の根革補強部材１は、舌片状の中央片部３と、その周囲の周縁部５と、該中央片部３の根元付近に、湾曲させた該中央片部３の先端部３１を挿入可能な孔部４とを形成したプラスチック板２からなることを特徴とする。  この根革補強部材１を、直線部分を有する環状の金具６に取り付けるには、前記中央片部３と前記周縁部５との間に、金具６の直線部分６１を挿入した後、前記周縁部５を該直線部分６１に巻き付けるように湾曲させ、前記中央片部３を、前記周縁部５を湾曲させた方向とは逆方向に該直線部分６１に巻き付けるように湾曲させてその先端部３１を前記孔部４に挿入して取り付けることができる。【選択図】図１
2011092478.tif 000002
【特許請求の範囲】
【請求項１】
舌片状の中央片部と、その周囲の周縁部と、該中央片部の根元付近に、湾曲させた該中央片部の先端部を挿入可能な孔部とを形成したプラスチック板からなる根革補強部材。
【請求項２】
略コ字状に切れ込みを入れて、舌片状の中央片部と、その周囲の周縁部とを形成し、該片部の根元付近に、湾曲させた該中央片部の先端部を挿入可能な細長状の孔部を形成した矩形状のプラスチック板からなる根革補強部材。
【請求項３】
請求項１又は２に記載の根革補強部材を、直線部分を有する環状の金具に取り付ける方法であって、
前記中央片部と前記周縁部との間に、金具の直線部分を挿入した後、前記周縁部を該直線部分に巻き付けるように湾曲させ、前記中央片部を、前記周縁部を湾曲させた方向とは逆方向に該直線部分に巻き付けるように湾曲させてその先端部を前記孔部に挿入する根革補強部材の取付方法。
【発明の詳細な説明】
【技術分野】
【０００１】
本発明は、ショルダーバッグなどの肩ベルト等を掛けるＤ環、角環などの金具を固定する根革の補強部材に関する。
【背景技術】
【０００２】
ショルダーバッグなどの鞄１０は、図９に示すように、線材をＤ状に折り曲げたＤ環や線材を矩形状に折り曲げた角環などの金具１１を横マチ部１２に設け、肩ベルト１３の先端に設けたナス環１４などを掛けることができるようにしたものがある（下記特許文献１の図１など参照）。
Ｄ環、角環などの金具１１は、長方形状の布地などからなる根革１５を介して取り付けてあることが多く、例えば、根革１５をＤ環１１の直線部分に二つ折りにして巻き付け、巻き付けた根革１５を鞄１０の横マチ部１２などに縫製等して取り付けてある。
【先行技術文献】
【特許文献】
【０００３】
【特許文献１】特開２００３−２１０２３３号公報
【発明の概要】
【発明が解決しようとする課題】
【０００４】
しかし、根革１５は、鞄１０の長年の使用により伸びてしまうことがあり、金具１１が上下動しやすくなってしまうことがあった。
さらには、図１０に示すように、金具１１が、略９０°回転した状態になることがあり、金具１１の接合部をロウ付けなどで溶接してない場合は、金具１１が伸び、破損してしまうことがあった。
【０００５】
そこで、本発明の目的は、根革を伸びにくくするとともに、Ｄ環、角環などの金具が上下動や回転しないように固定できる根革補強部材を提供することにある。
【課題を解決するための手段】
【０００６】
本発明の根革補強部材は、舌片状の中央片部と、その周囲の周縁部と、該中央片部の根元付近に、湾曲させた該中央片部の先端部を挿入可能な孔部とを形成したプラスチック板からなることを特徴とするものである。
【０００７】
本発明の根革補強部材は、Ｄ環、角環などの金具の直線部分を中央片部と周縁部との間に挟み込み、これらを該直線部分に巻き付けることにより、根革を補強するとともに金具が上下動や回転することを防止できるものである。
【図面の簡単な説明】
【０００８】
【図１】本発明の一実施形態の根革補強部材の斜視図である。
【図２】図１の根革補強部材に金具を取り付ける状態を示し、金具の直線部分を切片部と周縁部との間に挟み込ませた状態を示した斜視図である。
【図３】図１の根革補強部材に金具を取り付ける状態を示し、金具の直線部分に周縁部を巻き付けた状態を示した斜視図である。
【図４】図１の根革補強部材に金具を取り付ける状態を示し、金具の直線部分に切片部を巻き付けた状態を示した斜視図である。
【図５】図１の根革補強部材に金具を取り付ける状態を示し、切片部の先端部を孔部に挿入した状態を示した斜視図である。
【図６】図５の状態の根革補強部材の外面に被覆材を貼り合せる状態を示した斜視図である。
【図７】図１の根革補強部材を用いた根革を示す斜視図である。
【図８】図７の根革を鞄に取り付ける際に縫製する箇所を示した図である。
【図９】従来例の鞄の根革付近を示した部分斜視図である。
【図１０】図９の鞄の不具合の状態を示す、根革付近を示した部分斜視図である
【発明を実施するための形態】
【０００９】
以下、本発明の根革補強部材を、一実施形態に基づいて説明する。
【００１０】
本発明の一実施形態の根革補強部材１は、図１に示すように、プラスチック板２に中央片部３と、孔部４とを設けたものである。
【００１１】
プラスチック板２は、長方形状に形成してあり、ポリプロピレンなどから形成するのが好ましく、鞄に取り付けた際、目立たなくするために透明であるのが好ましい。プラスチック板２の厚みは、強度や折り曲げやすさの観点から、０．４ｍｍ〜０．６ｍｍ、特に０．５ｍｍ程にするのが好ましい。
本実施形態では、プラスチック板２を長方形状に形成してあるが、これに限定するものではなく、正方形を含む矩形状や長円状などに形成してもよい。
【００１２】
中央片部３は、プラスチック板２面上に略コ字状に切れ込みを入れて、プラスチック板２の中間付近からプラスチック板２の一端部側に向かい伸びる舌片状に形成してあり、その周囲を略等幅の周縁部５としてある。
【００１３】
孔部４は、中央片部３の根元付近に形成し、プラスチック板２の幅方向に沿う細長矩形状に形成してあり、折り返すように湾曲させた中央片部３の先端部３１が挿入できるようにしてある。
【００１４】
以下、上記根革補強部材１の使用方法を説明する。
中央片部３を起こして先端部３１を浮かし、図２に示すように、金具６の直線部分６１を、中央片部３と周縁部５との間に挟み込ませて挿入する。金具としては、根革補強部材を巻き付けられる直線部分を有するように、線材を環状に折り曲げて形成したものを用いることができ、Ｄ字状に形成したＤ環や矩形状に形成した角環などを好ましく用いることができる。
次に、金具６を、中央片部３の根元近くまで挿入した後、図３に示すように、周縁部５を湾曲させて金具６の直線部分６１に巻き付け、プラスチック板２を二つ折りにした状態にする。
【００１５】
そして、図４に示すように、中央片部３を、周縁部５とは反対方向に湾曲させて金具６の直線部分６１に巻き付けるようにし、図５に示すように、中央片部３の先端部３１を孔部４に挿入して根革補強部材１を金具６に取り付けることができる。
【００１６】
このように金具６に取り付けた根革補強部材１の外面上に、プラスチック板２よりも一回り大きい長方形状に形成した被覆材７を、根革補強部材１を覆うように貼り合わせてＤ環を備えた根革８を形成することができる。被覆材７は、布、革、ナイロンなどで形成することができ、鞄本体の表装材と同じ生地などで形成するのが好ましく、貼り合わせは、両面テープなどで行うのが好ましい。
【００１７】
根革８は、鞄などに取り付ける際は、図８に示す破線Ａ部分で縫製して取り付けるのが好ましく、このように縫製することにより中央片部３上を縫製することになるので、根革補強部材１から金具６が外れにくくなる。
【００１８】
根革８は、根革補強部材１により被覆材７を補強してあるとともに、中央片部３により主に金具６の上下動を防止し、周縁部５により主に金具６の回転を防止することができるものである。
【００１９】
上記実施形態の構成態様は、本発明を限定するものとして挙げたものではなく、技術目的を共通にするかぎり変更は可能であり、本発明はそのような変更を含むものである。
【符号の説明】
【００２０】
１根革補強部材  ２プラスチック板  ３中央片部  ３１先端部  ４孔部  ５周縁部  ６金具  ６１直線部分  ７被覆材  ８根革
【図１】
2011092478.tif 000003
【図２】
2011092478.tif 000004
【図３】
2011092478.tif 000005
【図４】
2011092478.tif 000006
【図５】
2011092478.tif 000007
【図６】
2011092478.tif 000008
【図７】
2011092478.tif 000009
【図８】
2011092478.tif 000010
【図９】
2011092478.tif 000011
【図１０】
2011092478.tif 000012